(57)【要約】  【課題】確実にシャッターをシャッタードラムに巻き取り且つシャッタードラムから繰り出すことができる横引き出しシャッター機構を提供する。  【解決手段】  シャッターガイド２８の上部端とモータ４０により駆動されるシャッタードラム３２とを床面に対して略水平な方向に所定の間隔を存して配置する。シャッターガイド２８に案内されるシャッター４２はシャッタードラム３２の正逆回転に伴いこのシャッタードラム３２にロール状に巻き取られる。また、シャッタードラム３２にロール状に巻き取られたシャッター４２はシャッタードラム３２の頂部から略水平方向に引き出される。シャッター４２はフック４６，５６を介してスプリング５４に連係し、シャッター４２に下降方向にスプリング５４の引っ張り力が作用する。【選択図】図１
2007303200.tif 000002
【特許請求の範囲】
【請求項１】
シャッターガイドの上部端とモータにより駆動されるシャッタードラムとを床面に対して略水平な方向に所定の間隔を存して配置し、前記シャッターガイドに案内されるシャッターが前記シャッタードラムの正逆回転に伴い該シャッタードラムにロール状に巻き取られあるいはロール状に巻き取られたシャッターがシャッタードラムの頂部から略水平方向に引き出されるようにした横引き出しシャッター機構において、前記シャッターをスプリングに連係し、前記シャッターに下降方向にスプリングの引っ張り力を作用させたことを特徴とする横引き出しシャッター機構。
【請求項２】
前記シャッターの下部先端側に第１のフックを設け、前記スプリング側に第２のフックを設け、前記シャッターの先端が最下降位置から下降し所定の高さに達すると前記第１のフックが前記第２のフックに係合し、前記シャッターと前記スプリングとが互いに結合するとともに前記シャッターの先端が最上昇位置から前記所定の高さに達すると前記第１のフックと前記第２のフックとの係合が解除され、前記所定の高さを境として前記シャッターと前記スプリングとが結合しあるいは結合が解除されるようにしたことを特徴とする請求項１に記載の横引き出しシャッター機構。
【請求項３】
前記スプリングはコイルスプリングであり、前記シャッターガイドに沿って設けられたガイドレールに配置されているされていることを特徴とする請求項１又は請求項２に記載の横引き出しシャッター機構。
【請求項４】
前記コイルスプリングの上部は、ローラチェンの下端に連結し、該ローラチェンの上部に前記第２のフックが取り付けられ、該ローラチェンが前記ガイドレールにこれに沿って走行自在に支持されていることを特徴とする請求項３に記載の横引き出しシャッター機構。
【発明の詳細な説明】
【技術分野】
【０００１】
本発明は、外囲構造物の開口部を開閉する電動式のシャッター機構に関し、更に特定すれば、シャッターガイドの上部端に対してシャッタードラムを、床面に対して略水平方向に対向配置し、シャッターがシャッタードラムに対して略水平方向から巻き込まれ且つシャッタードラムから略水平方向にシャッターガイドに向けて引き出されるようにした横引き出しシャッター機構に関する。
【背景技術】
【０００２】
従来、外囲構造物の開口部を開閉する電動式シャッター機構が知られている（例えば特許文献１参照）。既存の電動式シャッター機構は図９乃至図１１に示すように、外囲構造物２のシャッター収納ボックス４にモータ６により駆動されるシャッタードラム８が設置されこれにシャッター１０が巻回されている。シャッター１０は、外囲構造物２のシャッター収納ボックス４に設けられたマグサ１２から下方にシャッターガイド１４によって案内されるように構成されている。
【０００３】
シャッター収納ボックス４のマグサ１２の下方に外囲構造物２の開口部１６が形成され、該開口部１６はマグサ１２から下方に伸びるシャッター１０の昇降によって開閉される。このように構成することで、シャッタードラム８に巻き取られあるいは引き出されるシャッター１０には、シャッター１０の引き出し垂直部分の自重によって下向きの引っ張り力が作用し、この引っ張り力によりシャッター１０がシャッタードラム８に密に巻かれ、シャッター１０のロール部１０ａがばらけることがない。
【０００４】
尚、図８に示すように、マグサ１８をシャッタードラム２０の側方に配置し、シャッター２０が、シャッタードラム２０の頂部に対して、略水平方向からシャッタードラム２０に巻き取られあるいはシャッタードラム２０から引き出される構成とした場合には、マグサ１８の下方にシャッタードラム２０を配置できるというシャッタードラム配置スペース上の利点はあるが、この構成では、シャッター２２の引き出し部分の自重による引っ張り力がシャッター２２の全昇降範囲において十分に作用しないので、シャッタードラム２０の正逆回転時、シャッタードラム２０からシャッター２２のロール部２２ａが図８に示すようにばらけ、事故につながる虞ががある。
【特許文献１】特開２００２−２６６５７２号公報
【発明の開示】
【発明が解決しようとする課題】
【０００５】
シャッタードラムから下向き方向にシャッターが引き出され、あるいはシャッタードラムの下方からシャッタードラムにシャッターが巻き取られる構成を、ＡＴＭ（現金自動預け払い機）などを設置した外囲構造物に組み込んだ場合、この外囲構造物の上方にシャッタードラムが配置される。そのため、ＡＴＭ用などの外囲構造物の高さが大きくなってしまうという問題点がある。
本発明は上記問題点を解決することを目的とする。
【課題を解決するための手段】
【０００６】
上記目的を達成するため本発明は、シャッターガイドの上部端とモータにより駆動されるシャッタードラムとを床面に対して略水平な方向に所定の間隔を存して配置し、前記シャッターガイドに案内されるシャッターが前記シャッタードラムの正逆回転に伴い該シャッタードラムにロール状に巻き取られあるいはロール状に巻き取られたシャッターがシャッタードラムの頂部から略水平方向に引き出されるようにした横引き出しシャッター機構において、前記シャッターをスプリングに連係し、前記シャッターに下降方向にスプリングの引っ張り力を作用させたものである。
また本発明は、前記シャッターの下部先端側に第１のフックを設け、前記スプリング側に第２のフックを設け、前記シャッターの先端が最下降位置から下降し所定の高さに達すると前記第１のフックが前記第２のフックに係合し、前記シャッターと前記スプリングとが互いに結合するとともに前記シャッターの先端が最上昇位置から前記所定の高さに達すると前記第１のフックと前記第２のフックとの係合が解除され、前記所定の高さを境として前記シャッターと前記スプリングとが結合しあるいは結合が解除されるようにしたものである。
また本発明は、前記スプリングはコイルスプリングであり、前記シャッターガイドに沿って設けられたガイドレールに配置されているされていることを特徴とする。
また本発明は、前記コイルスプリングの上部は、ローラチェンの下端に連結し、該ローラチェンの上部に前記第２のフックが取り付けられ、該ローラチェンが前記ガイドレールにこれに沿って走行自在に支持されていることを特徴とするものである。
【発明の効果】
【０００７】
本発明は、外囲構造物の開口部の上方にシャッター収納用のスペースをとることなくシャッター機構を組み込むことができるので、開口部の上方に余分なスペースをとる必要がない。しかも、スプリングによってシャッターに下降力を付与したのでシャッターを確実にシャッタードラムに巻き取り且つシャッタードラムから引き出すことができる。
【発明を実施するための最良の形態】
【０００８】
以下に本発明の実施の形態を添付した図面を参照して詳細に説明する。
図３及び図６は、ＡＴＭ（現金自動預け払い機）２４などを収納する外囲構造物２６に本発明に係る横引き出しシャッター機構を組み込んだ全体概略構成図であり、外囲構造物２６の本体の前面と天井の前方部分にかけて開口部２７が形成されている。前記開口部２７の両側には、その垂直前面部と上部わん曲面部と上部水平面部に沿って、垂直案内部２８ａとわん曲案内部２８ｂと上部水平案内部２８ｃが形成されたレールからなるシャッターガイド２８が取り付けられている。
【０００９】
前記外囲構造物２６の本体の上部後方にはシャッター収納ボックス３０が形成され、該シャッター収納ボックス３０に円筒状のシャッタードラム３２の支軸が図４に示すようにブラケット３４，３４を介して回転自在に支持されている。前記シャッタードラム３２の支軸には、スプロケット３６が固着され、該スプロケット３６は無端状のチェン３８を介して、前記シャッター収納ボックス３０に配置されているモータ４０の出力軸の歯車に連結している。
【００１０】
前記シャッタードラム３２には、多数の互いに回転自在に結合するシャッタースラット４２ａからなるシャッター４２が巻き回され、該シャッター４２の後端側が前記シャッタードラム３２に係止されている。前記シャッター４２の前記シャッタードラム３２から引き出されたシャッター引き出し部分の各シャッタースラット４２ａの両側は、前記シャッターガイド２８の凹入部の壁面間にスライド自在に嵌入配置され、該凹入部の壁面に案内されてスライド移動するように構成されている。
【００１１】
前記シャッター４２の引き出し部分の下部先端の両側には、ストッパー金具４４が取り付けられ該金具４４にそれぞれフック４６が固定されている。前記外囲構造物２６の本体の開口部２８には、図２に示すように前記シャッターガイド２８に隣接してこれと平行にローラチェン用のガイドレール４８が固設され、該ガイドレール４８に、それぞれローラチェン５０，５０が、該ガイドレール４８，４８に沿ってスライド自在に挿入配置されている。前記ガイドレール４８，４８の各下端には、スプリング固定金具５２，５２が取り付けられ、これに前記ガイドレール４８，４８の凹入部内に配置されたコイルスプリング５４の下端が固定されている。
【００１２】
前記コイルスプリング５４の上端は、前記ローラチェン５０の下端に連結している。前記ローラチェン５０，５０の上部には、フック５６を有する係合部材５８が取り付けられている。前記フック５６は前記シャッター４２側のフック４６の移動経路に配置され互いに係合可能に構成されている。前記シャッター４２のシャッタードラム３２に巻き回されたロール部４２ｂから引き出された引き出し部分の両側は、シャッタードラム３２の回転に伴って前記シャッターガイド２８に案内されて、スライド移動し、該スライド移動によりシャッター４２は前記外囲構造物２６の本体の開口部２７を開閉する方向に移動する構成となっている。
【００１３】
前記シャッター４２のシャッタードラム３２から引き出された引き出し部分は、前記ロール部４２ｂの頂部表面からその略接線方向即ち床面に対して略水平方向に、前記シャッターガイド２８の上部端に向けて引き出されあるいは、シャッターガイド２８の上部端からロール部４２ｂの頂部表面の略接線方向に向けてシャッタードラム３２に巻き込まれるように前記シャッタードラム３２の前記シャッターガイド２８の上部端に対する高さ位置が設定されている。
【００１４】
即ち、前記シャッタードラム３２は、前記シャッターガイド２８，２８の上部端に、床面に対して略水平な方向に所定の間隔を存して対向配置され、且つ、前記シャッタードラム３２は、これに巻き回されたシャッター４２のロール部４２ｂの頂部が、前記シャッターガイド２８，２８の上部端と略同一の高さとなるように設定されている。
【００１５】
次に本実施形態の作用について説明する。
図５（Ａ）はシャッター４２の下部先端が外囲構造物２６の床面に当接し、シャッター４２が外囲構造物２６の開口部２７を遮蔽している状態を示している。この状態において、フック４６はフック５６から外れガイドレール４８内のコイルスプリング５４は、引っ張り力がかかっていない無負荷状態となっている。
【００１６】
モータ４０が駆動され、シャッタードラム３２が図５（Ｂ）中、時計方向に回転すると、シャッター４２はシャッタードラム３２に巻き込まれ、シャッター４２はシャッターガイド２８に案内されて、その下部先端がコイルスプリング５４側のフック５６に達すると、このフック５６とシャッター４２側のフック４６とが係合し、シャッター４２はローラチェン５０を介してコイルスプリング５４の上端と結合する。
【００１７】
なおもシャッター４２がシャッターガイド２８，２８に沿って上昇方向に移動すると、このシャッター４２の上昇移動に伴って、図５（Ｃ）に示すように、コイルスプリング５４が伸長し、シャッター４２に下向きにコイルスプリング５４の引っ張り力が作用する。図５（Ｄ）に示すように、シャッター４２の下部先端がシャッター収納ボックス３０のマグサ（図示省略）の近傍に達し、外囲構造物２６の開口部２７の全域が開放されたところで、シャッター位置検出装置（図示省略）が働き、モータ４０が停止する。
【００１８】
シャッタードラム３２が、シャッター巻き取り方向及びシャッター排出方向に回転中、シャッタードラム３２に巻き込まれあるいはシャッタードラム３２から排出されるシャッター４２の引き出し部分にはシャッター４２の引き出し部分の自重と、コイルスプリング５４の引っ張り力とによって、常に、ロール部４２ｂを巻き締める力が作用し、シャッター４２は、これの引っ張り力によってシャッタードラム３２に密に巻き込まれた状態を維持し、ロール部４２ｂがばらけることがない。シャッター４２の下部先端が下降中、所定の高さに達し、前記シャッター４２がロール部４２ｂから所定長さ引き出され、シャッター４２の引き出し部分の自重が十分に作用する状態となると、フック４６と５６との係合が解除され、シャッター４２にはコイルスプリング５４の下向きの引っ張り力が作用しないように構成されている。
【００１９】
シャッター４２の下部先端が所定の高さまで上昇しその自重による下降方向の引っ張り力が弱くなったとき、フック４６と５６とが係合し、シャッター４２とコイルスプリング５４とが結合するように、フック５６の高さが設定されている。シャッター４２を下降し、開口部２７を閉じるときは、モータ４０を駆動し、シャッタードラム３２を図３中、反時計方向に回転させる。シャッタードラム３２の、図３中、反時計方向の回転に伴い、シャッター４２はコイルスプリング５４の引っ張り力によって、ロール部４２ｂから引き出され、この引き出された部分がシャッターガイド２８に案内されて下降する。
【００２０】
シャッター４２がロール部４２ｂから十分に引き出され、シャッター４２の引き出し部分にその自重による十分な下向き引っ張り力が発生したところで、フック４６とフック５６との係合が外れ、コイルスプリング５４は無負荷状態となる。フック４６がフック５６から外れると、シャッタードラム３２の図３中、反時計方向の回転に伴い、シャッター４２は、その引き出し部分の自重による下向き引っ張り力によって付勢されつつ下降し、その下部先端が床面に達したところで、モータ４０の駆動が停止する。
【図面の簡単な説明】
【００２１】
【図１】本発明に係る横引き出しシャッター機構の外観説明図である。
【図２】本発明の要部の外観説明図である。
【図３】横引き出しシャッター機構の側面説明図である。
【図４】横引き出しシャッター機構の平面説明図である。
【図５】横引き出しシャッター機構の説明図である。
【図６】外囲構造物に横引き出しシャッター機構を取り付けた状態を示す側面説明図である。
【図７】外囲構造物に横引き出しシャッター機構を取り付けた状態を示す外観説明図である。
【図８】説明図である。
【図９】従来技術の側面説明図である。
【図１０】従来技術の側面断面図である。
【図１１】従来技術の外観説明図である。
【符号の説明】
【００２２】
２      外囲構造物
４      シャッター収納ボックス
６      モータ
８      シャッタードラム
１０    シャッター
１２    マグサ
１４    シャッターガイド
１６    開口部
１８    マグサ
２０    シャッタードラム
２２    シャッター
２４    ＡＴＭ
２６    外囲構造物
２７    開口部
２８    シャッターガイド
３０    シャッター収納ボックス
３２    シャッタードラム
３４    ブラケット
３６    スプロケット
３８    チェン
４０    モータ
４２ａ  シャッタースラット
４２ｂ  ロール部
４２    シャッター
４４    ストッパー金具
４６    フック
４８    ガイドレール
５０    ローラチェン
５２    固定金具
５４    コイルスプリング
５６    フック
５８    係合部材    
【図１】
2007303200.tif 000003
【図２】
2007303200.tif 000004
【図３】
2007303200.tif 000005
【図４】
2007303200.tif 000006
【図５】
2007303200.tif 000007
【図６】
2007303200.tif 000008
【図７】
2007303200.tif 000009
【図８】
2007303200.tif 000010
【図９】
2007303200.tif 000011
【図１０】
2007303200.tif 000012
【図１１】
2007303200.tif 000013